Podtech/llm-jp-corpus-v4-ja_patent huggingface dataset:
【手続補正書】
【提出日】平成30年4月3日(2018.4.3)
【手続補正１】
【補正対象書類名】特許請求の範囲
【補正対象項目名】全文
【補正方法】変更
【補正の内容】
【特許請求の範囲】
【請求項１】
撮像素子が実装された撮像素子実装部と、
前記撮像素子実装部に接続された一端が、前記撮像素子実装部からそれぞれ異なる方向に引き出されている複数の第１のフレキシブル部と、
前記複数の第１のフレキシブル部の他端側と接続される接続部と、
を一体的に備えた撮像基板を有する、医療用カメラヘッド。
【請求項２】
前記撮像基板の前記撮像素子実装部と前記接続部とは対向配置される、請求項１に記載の医療用カメラヘッド。
【請求項３】
前記撮像基板の前記複数の第１のフレキシブル部のうち少なくとも１つは、折り曲げられたときに、他の前記第１のフレキシブル部のうち少なくとも１つに重なり合う重畳部を有し、前記重畳部の少なくとも一部が前記撮像素子実装部と前記接続部との間に配置される、請求項１又は２に記載の医療用カメラヘッド。
【請求項４】
前記撮像基板には、前記接続部と前記第１のフレキシブル部のうち少なくとも１つとが着脱自在に接続されるコネクタ部が設けられる、請求項１〜３のいずれか一項に記載の医療用カメラヘッド。
【請求項５】
前記コネクタ部は、前記接続部の前記撮像素子実装部に対向する面に位置し、前記接続部には前記コネクタ部を覆うカバー部材が設けられる、請求項４に記載の医療用カメラヘッド。
【請求項６】
前記撮像基板は、第２のフレキシブル部を介して前記接続部と接続される電子部品実装部をさらに備える、請求項１〜５のいずれか一項に記載の医療用カメラヘッド。
【請求項７】
前記撮像基板の前記第２のフレキシブル部は折り曲げられ、
前記電子部品実装部は、前記撮像素子実装部と前記接続部との間に配置される、
請求項６に記載の医療用カメラヘッド。
【請求項８】
前記撮像基板の前記複数の第１のフレキシブル部は、前記撮像素子実装部から出力される電気信号を伝送する複数の配線パタンを有し、
前記接続部には、少なくとも２つの前記配線パタンから伝送されるパラレルの電気信号をシリアル信号に変換する信号処理回路が実装される、
請求項１〜７のいずれか一項に記載の医療用カメラヘッド。
【請求項９】
請求項１乃至８のいずれか１つに記載の医療用カメラヘッドと、
前記医療用カメラヘッドからの画像信号を処理する制御装置と、
を備える、医療用カメラ装置。
【請求項１０】
撮像素子が実装された、平面が略多角形状の撮像素子実装部と、
一端が前記撮像素子実装部の複数の辺の各々に接続された複数の第１のフレキシブル部と、
前記複数の第１のフレキシブル部の他端側と接続される接続部と、
を一体的に備えた撮像基板を有する、医療用カメラヘッド。
【手続補正書】
【提出日】平成30年5月8日(2018.5.8)
【手続補正１】
【補正対象書類名】特許請求の範囲
【補正対象項目名】全文
【補正方法】変更
【補正の内容】
【特許請求の範囲】
【請求項１】
測定光軸を中心とするリング状のパターン指標を、互いに異なる径で被検眼の角膜に複数形成するための指標投影ユニットと、
前記角膜に形成される複数のパターン指標を撮像する撮像素子を備える測定光学系と、を有し、
前記指標投影ユニットは、
前記測定光軸を中心として同心円状に配置される第１リング状光源，および，前記第１リング状光源よりも小径の第２リング状光源，と、
前記同心円の各半径方向において前記測定光軸側を向く第１反射面を有する第１反射部材であって、前記第１リング状光源からの第１指標光を前記第１反射面によって前記測定光軸側に反射する第１反射部材と、
前記第１反射部材によって反射された第１指標光を前記被検眼の角膜における第１円周領域にリング状のパターンで導き、且つ、前記第２リング状光源からの第２指標光を、前記角膜において前記第１円周領域よりも測定光軸側の第２円周領域にリング状のパターンで導くパターン形成部を有する眼科測定装置。
【請求項２】
前記第１リング状光源は、測定光軸と平行な方向に指向性を持つ光を発し、
前記第１反射面は、前記第１反射面における前記被検眼に近い位置ほど前記測定光軸に近づくように傾斜して配置される請求項１記載の眼科測定装置。
【請求項３】
前記反射部材は、内側が前記反射面として形成される筒状部材である請求項１又は２記載の眼科測定装置。
【請求項４】
前記測定光学系を含む第１測定ユニットと、
前記第１測定ユニットと上下方向に積層されており、前記測定光学系を介して測定される眼特性とは異なる眼特性である第２眼特性を測定する第２測定光学系を有する第２測定ユニットと、
前記第１測定ユニットと前記第２測定ユニットとを、上下方向に関して移動させるための移動機構と、を備える請求項１から３のいずれかに記載の眼科測定装置。
【手続補正書】
【提出日】平成30年3月28日(2018.3.28)
【手続補正１】
【補正対象書類名】特許請求の範囲
【補正対象項目名】全文
【補正方法】変更
【補正の内容】
【特許請求の範囲】
【請求項１】
ユーザのセンシング情報を利用して、前記ユーザの移動時のスピード、ピッチ、及び、ストライドの関係を示す移動特性に基づいて、前記ユーザのスピード、ピッチ、及び、ストライドのうち少なくとも１つの誘導を行う誘導部を
備える情報処理装置。
【請求項２】
前記ユーザの前記移動特性、並びに、前記移動特性に基づいて前記ユーザの移動状態を分析した結果のうち少なくとも一方の提示を制御するユーザインタフェース制御部を
さらに備える請求項１に記載の情報処理装置。
【請求項３】
前記ユーザインタフェース制御部は、前記移動特性に基づいて前記ユーザのピッチとストライドのバランスを分析した結果を提示するように制御する
請求項２に記載の情報処理装置。
【請求項４】
前記ユーザインタフェース制御部は、前記ユーザのピッチとストライドのバランス、及び、スピードの時系列の推移を提示するように制御する
請求項３に記載の情報処理装置。
【請求項５】
前記ユーザインタフェース制御部は、複数の時点における前記ユーザのピッチとストライドのバランスを比較した結果、又は、複数のユーザのピッチとストライドのバランスを比較した結果のうち少なくとも一方の提示を制御する
請求項２乃至４のいずれかに記載の情報処理装置。
【請求項６】
前記ユーザの前記移動特性に基づいて、前記ユーザの移動状態を分析する状態分析部を
さらに備える請求項１乃至５のいずれかに記載の情報処理装置。
【請求項７】
前記誘導部は、スピード、ピッチ、及び、ストライドのうちの１つを固定し、残りの２つを変化させるように誘導する
請求項１乃至６のいずれかに記載の情報処理装置。
【請求項８】
前記誘導部は、前記ユーザの心拍数又は脈拍数がほぼ一定になるように、前記ユーザのピッチ及びストライドを誘導する
請求項１乃至７のいずれかに記載の情報処理装置。
【請求項９】
前記ユーザのスタミナ特性に基づいて、前記ユーザが移動するコースにおけるピッチとストライドの配分、及び、前記コースにおけるスピードの配分のうち少なくとも一方を含むプランを作成するプラン作成部を
さらに備え、
前記誘導部は、前記プランに基づいて、前記ユーザのスピード、ピッチ、及び、ストライドの誘導を行う
請求項１乃至８のいずれかに記載の情報処理装置。
【請求項１０】
前記プラン作成部は、前記ユーザの移動状態、並びに、調子に基づいて、前記ユーザの移動中に前記プランを更新する
請求項９に記載の情報処理装置。
【請求項１１】
前記プラン作成部は、前記コースの残りの距離に基づいて、ゴール時の前記ユーザのスタミナ量の余りを調整しながら、前記プランを更新する
請求項９又は１０に記載の情報処理装置。
【請求項１２】
前記スタミナ特性は、前記ユーザのスピード、ピッチ、及び、ストライドのうちの少なくとも１つ、残存スタミナ量、並びに、スタミナ効率の関係を示すスタミナ効率特性と、前記ユーザのスタミナ容量とを含む
請求項９乃至１１のいずれかに記載の情報処理装置。
【請求項１３】
前記誘導部は、前記ユーザのスピードが所定の閾値未満の場合、ストライドの誘導を行い、前記ユーザのスピードが前記閾値以上の場合、ピッチの誘導を行う
請求項１乃至１２のいずれかに記載の情報処理装置。
【請求項１４】
主にストライドを伸ばすことにより加速する方法と主にピッチを速くすることにより加速する方法とを切り替える速度である切替速度より遅い第１のスピード、前記切替速度より速い第２のスピード、及び、前記第１のスピードと第２のスピードの間の第３のスピードの少なくとも３つのスピードにおける前記ユーザのピッチ及びストライドの測定結果に基づいて、前記ユーザの前記移動特性を分析する移動特性分析部を
さらに備える請求項１乃至１３のいずれかに記載の情報処理装置。
【請求項１５】
前記ユーザのスピード、ストライド及びピッチのうち少なくとも１つを誘導しながら測定した心拍数又は脈拍数の測定結果に基づいて、前記ユーザの心肺能力を分析する心肺能力分析部を
さらに備える請求項１乃至１４のいずれかに記載の情報処理装置。
【請求項１６】
前記心肺能力は、前記ユーザの標準心拍数及び最高心拍数を含む
請求項１５に記載の情報処理装置。
【請求項１７】
前記ユーザのスピード、ストライド及びピッチのうち少なくとも１つを誘導しながら測定したスピード、並びに、心拍数又は脈拍数の測定結果に基づいて、前記ユーザのスタミナ特性を分析するスタミナ特性分析部を
さらに備える請求項１乃至１６のいずれかに記載の情報処理装置。
【請求項１８】
前記移動特性は、前記ユーザの走行時の各スピードにおけるピッチ及びストライドの組み合わせを示し、
前記移動状態は、前記ユーザの走行状態である
請求項２乃至６及び１０のいずれかに記載の情報処理装置。
【請求項１９】
ユーザのセンシング情報を利用して、前記ユーザの移動時のスピード、ピッチ、及び、ストライドの関係を示す移動特性に基づいて、前記ユーザのスピード、ピッチ、及び、ストライドのうち少なくとも１つの誘導を行う誘導ステップを
含む情報処理方法。
【請求項２０】
ユーザのセンシング情報を利用して、前記ユーザの移動時のスピード、ピッチ、及び、ストライドの関係を示す移動特性に基づいて、前記ユーザのスピード、ピッチ、及び、ストライドのうち少なくとも１つの誘導を行う誘導ステップを
含む処理をコンピュータに実行させるためのプログラム。
【手続補正書】
【提出日】平成30年2月27日(2018.2.27)
【手続補正１】
【補正対象書類名】特許請求の範囲
【補正対象項目名】請求項１
【補正方法】変更
【補正の内容】
【請求項１】
遊技の進行を制御するメイン制御手段と、
設定変更スイッチと、
設定値を表示可能な表示手段と
を備え、
前記メイン制御手段は、特別遊技状態における獲得可能数を記憶可能な記憶手段を有し、
前記メイン制御手段は、所定時間間隔で割込み処理を実行可能とし、
前記割込み処理では、
前回の割込み処理で前記設定変更スイッチのオフを検知し、今回の割込み処理で前記設定変更スイッチのオンを検知したときは、前記設定変更スイッチの立ち上がりデータがオンとなるように構成されており、
前回の割込み処理で前記設定変更スイッチのオンを検知し、今回の割込み処理で前記設定変更スイッチのオフを検知したときは、前記設定変更スイッチの立ち上がりデータがオフとなるように構成されており、
前記メイン制御手段は、設定変更モードの開始条件を満たした場合は、設定変更モードを実行可能とし、
設定変更モードでは、
前記設定変更スイッチの立ち上がりデータがオンであると判断したときは、前記表示手段に表示されている設定値を更新可能とし、
前記設定変更スイッチの立ち上がりデータがオンと判断した後、次に前記設定変更スイッチの立ち上がりデータを判断するまでの間に、少なくとも１回の前記割込み処理が実行されるまで待機する待機処理を実行することにより、次に前記設定変更スイッチの立ち上がりデータを判断するときには、前記設定変更スイッチの立ち上がりデータがオンと判断されないように構成されており、
設定変更モードの終了条件を満たした場合は、設定変更モードを終了可能とし、
前記メイン制御手段は、特定の図柄組合せが停止表示した場合は、前記記憶手段に獲得可能数として所定値を記憶可能とし、
前記特別遊技状態において所定の図柄組合せが停止表示した場合は、前記所定の図柄組合せに対応した付与数に応じて前記記憶手段に記憶されている獲得可能数を更新可能とする
ことを特徴とする遊技機。
【手続補正２】
【補正対象書類名】明細書
【補正対象項目名】０００１
【補正方法】変更
【補正の内容】
【０００１】
本発明は、遊技機において、適切な設定変更処理を行う技術に関するものである。
【手続補正３】
【補正対象書類名】明細書
【補正対象項目名】０００２
【補正方法】変更
【補正の内容】
【０００２】
従来より、遊技者の有利度を定める設定値を記憶可能な遊技機（たとえば、スロットマシン）が知られている。
ここで、設定変更ボタンにより設定値を変更するときに発生するチャタリングにより、意図しない設定値となってしまうことを防止する技術が知られている（たとえば、特許文献１参照）。
【手続補正４】
【補正対象書類名】明細書
【補正対象項目名】０００３
【補正方法】変更
【補正の内容】
【０００３】
【特許文献１】特開２０１３−０２２１０７号公報
【手続補正５】
【補正対象書類名】明細書
【補正対象項目名】０００４
【補正方法】変更
【補正の内容】
【０００４】
前述の従来の技術では、設定値が意図した数値と異なる値にならないようにするために、専用の無効タイマー１２５を設ける必要があった。
本発明が解決しようとする課題は、専用のタイマーを設けることなく、設定値が意図した値にならないようにすることである。
【手続補正６】
【補正対象書類名】明細書
【補正対象項目名】０００５
【補正方法】変更
【補正の内容】
【０００５】
本発明は、以下の解決手段によって上述の課題を解決する。なお、かっこ書きで、対応する実施形態の構成を示す。
本発明は、
遊技の進行を制御するメイン制御手段（メイン制御基板６０）と、
設定変更スイッチ（設定変更／リセットスイッチ５３）と、
設定値を表示可能な表示手段（設定値表示ＬＥＤ６４）と
を備え、
前記メイン制御手段は、特別遊技状態（１ＢＢ作動状態）における獲得可能数を記憶可能な記憶手段（アドレス「Ｆ０７１」の「_CT_BB1_PAY 」）を有し、
前記メイン制御手段は、所定時間（２．２３５ｍｓ）間隔で割込み処理（I_INTR）を実行可能とし、
前記割込み処理では、
前回の割込み処理で前記設定変更スイッチのオフを検知し、今回の割込み処理で前記設定変更スイッチのオンを検知したときは、前記設定変更スイッチの立ち上がりデータがオンとなるように構成されており、
前回の割込み処理で前記設定変更スイッチのオンを検知し、今回の割込み処理で前記設定変更スイッチのオフを検知したときは、前記設定変更スイッチの立ち上がりデータがオフとなるように構成されており、
前記メイン制御手段は、設定変更モードの開始条件を満たした場合（図２８中、ステップＳ１９で「Ｙｅｓ」、又はステップＳ２０で「Ｎｏ」のとき）は、設定変更モードを実行可能とし、
設定変更モード（図２９）では、
前記設定変更スイッチの立ち上がりデータがオンであると判断したとき（ステップＳ８１５で「Ｙｅｓ」）は、前記表示手段に表示されている設定値を更新可能とし（ステップＳ８１６）、
前記設定変更スイッチの立ち上がりデータがオンと判断した後、次に前記設定変更スイッチの立ち上がりデータを判断するまでの間に、少なくとも１回の前記割込み処理が実行されるまで待機する待機処理を実行する（ステップＳ８１４；C_INTR_WAIT ）ことにより、次に前記設定変更スイッチの立ち上がりデータを判断するときには、前記設定変更スイッチの立ち上がりデータがオンと判断されないように構成されており、
設定変更モードの終了条件を満たした場合（ステップＳ８１８で「Ｙｅｓ」）は、設定変更モードを終了可能とし、
前記メイン制御手段は、特定の図柄組合せが停止表示した場合（図３７中、ステップＳ８２で「Ｙｅｓ」）は、前記記憶手段に獲得可能数として所定値（「２００」）を記憶可能とし（ステップＳ８４）、
前記特別遊技状態において所定の図柄組合せが停止表示した場合は、前記所定の図柄組合せに対応した付与数に応じて前記記憶手段に記憶されている獲得可能数を更新可能とする（図６０中、ステップＳ４５９）
ことを特徴とする。
【手続補正７】
【補正対象書類名】明細書
【補正対象項目名】０００６
【補正方法】変更
【補正の内容】
【０００６】
本発明によれば、設定変更スイッチの立ち上がりデータがオンであると判断した後、割込み処理が実行される前に、再度、設定変更スイッチの立ち上がりデータがオンであると判断し、２回以上続けて設定値が更新されてしまうことをなくすことができる。これにより、意図しない設定値とならないようにするための専用のタイマーを設けることなく、割込み処理を利用した待機処理により、設定値が連続して更新されることを防止することができる。
【手続補正書】
【提出日】平成30年5月15日(2018.5.15)
【手続補正１】
【補正対象書類名】明細書
【補正対象項目名】００２５
【補正方法】変更
【補正の内容】
【００２５】
コンベックスアレイ２２ｂにおいて複数の振動子が１〜３面程度配置されている場合、コンベックスアレイ２２ｂの前面には超音波をｚ方向に集束するためのレンズ材（図示しない）が備えられる。一方で、コンベックスアレイ２２ｂにおいて複数の振動子が十分な面数だけ配置されている場合、超音波をｚ方向に集束するために電子フォーカスが利用される。
【手続補正２】
【補正対象書類名】明細書
【補正対象項目名】００５２
【補正方法】変更
【補正の内容】
【００５２】
送信回路３６１は、図示しない、レートパルス発生器、送信遅延回路、及びパルサを備える。レートパルス発生器は、送信超音波の繰り返し周期を決定するレートパルスを、基準信号発生回路３５から供給される連続波又は矩形波を分周することによって生成し、このレートパルスを送信遅延回路に供給する。送信遅延回路は、送信に使用される振動子と同数（Ｎチャンネル）の独立な遅延回路から構成されており、送信において細いビーム幅を得るために所定の深さに送信超音波を集束するための遅延時間と所定の方向に送信超音波を放射するための遅延時間をレートパルスに与え、このレートパルスをパルサに供給する。パルサは、Ｎチャンネルの独立な駆動回路を有し、超音波プローブ１１に内蔵された振動子を駆動するための駆動パルスを前記レートパルスに基づいて生成する。
【手続補正３】
【補正対象書類名】明細書
【補正対象項目名】００６２
【補正方法】変更
【補正の内容】
【００６２】
スキャン方式切り替え機能３１４は、コンベックススキャン実行機能３１１によるコンベックススキャンの実行中に超音波プローブ１１の切り替えスイッチ２１ａが押圧されると、回動角決定機能３１２によって決定された回動角に従って回動軸２２ｄが回動（正方向に回転）するように回動駆動部２２ｅを制御する機能と、スキャン方式をコンベックススキャンからリニアスキャンに切り替える機能とを含む。また、スキャン方式切り替え機能３１４は、リニアスキャン実行機能３１３によるリニアスキャンの実行中に超音波プローブ１１の切り替えスイッチ２１ａが押圧されると、回動角決定機能３１２によって決定された回動角に従って回動軸２２ｄが回動（負方向に回転）するように回動駆動部２２ｅを制御する機能と、スキャン方式をリニアスキャンからコンベックススキャンに切り替える機能とを含む。
【手続補正４】
【補正対象書類名】明細書
【補正対象項目名】００６４
【補正方法】変更
【補正の内容】
【００６４】
ここで、回動角決定機能３１２は超音波診断装置１に必須の機能ではない。回動角決定機能３１２が無い場合、コンベックススキャン実行機能３１１によるコンベックススキャンの実行中に超音波プローブ１１の切り替えスイッチ２１ａが押圧されると、予め設定された一定の回動角に従って回動軸２２ｄが回動（正方向に回転）される。また、回動角決定機能３１２が無い場合、リニアスキャン実行機能３１３によるリニアスキャンの実行中に超音波プローブ１１の切り替えスイッチ２１ａが押圧されると、予め設定された一定の回動角に従って回動軸２２ｄが回動（負方向に回転）される。
【手続補正５】
【補正対象書類名】明細書
【補正対象項目名】０１１５
【補正方法】変更
【補正の内容】
【０１１５】
図１６の左側は、図１６の右側に示す超音波プローブ１１ＢのＶ−Ｖ断面（ｘ−ｙ断面）図を示し、図１６の右側は、超音波プローブ１１Ｂを側（ｙ−ｚ面）から見た図を示す。
【手続補正６】
【補正対象書類名】明細書
【補正対象項目名】０１１８
【補正方法】変更
【補正の内容】
【０１１８】
プローブ本体２２Ｂは、第１振動子セット２２ａ、第２振動子セット２２ｂ、信号線２２ｇ、溶液層２２ｈ、及び音響窓２２ｍを備える。第１振動子セット２２ａ及び第２振動子セット２２ｂによるスキャン方式は異なるものとする。
【手続補正７】
【補正対象書類名】図面
【補正対象項目名】図２
【補正方法】変更
【補正の内容】
【図２】
2016214441.tif 000001
【手続補正８】
【補正対象書類名】図面
【補正対象項目名】図３
【補正方法】変更
【補正の内容】
【図３】
2016214441.tif 000002
【手続補正９】
【補正対象書類名】図面
【補正対象項目名】図４
【補正方法】変更
【補正の内容】
【図４】
2016214441.tif 000003
【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
変動表示を行ない、遊技者にとって有利な有利状態に制御可能な遊技機であって、
未だ開始されていない変動表示に関する情報を保留記憶として記憶する保留記憶手段と、
前記保留記憶手段が記憶する保留記憶を保留表示として表示可能な保留表示手段と、
変動表示の実行中に、当該変動表示に対応する変動対応表示を行なうことが可能な変動対応表示手段と、
対象となる保留記憶の変動表示が実行される以前に保留表示の態様を変化させる保留表示態様変化と、当該変動表示の実行中に変動対応表示の態様を変化させる変動対応表示態様変化との少なくともいずれかの表示態様変化をさせることが可能な表示態様変更手段と、
前記保留表示態様変化を示唆する第１変化演出と、前記変動対応表示態様変化を示唆する第２変化演出との少なくともいずれかの変化演出を、対象となる保留記憶に対応する保留表示期間および変動表示期間の期間中における複数のタイミングのうちのいずれかのタイミングで実行させることが可能な変化演出実行手段とを備え、
前記変化演出実行手段は、前記表示態様変更手段による変化対象の表示態様が、通常表示とは異なる第１特定表示と第２特定表示とのいずれであるかに応じて、前記変化演出を実行させるタイミングの選択割合が異なる、遊技機。
【請求項２】
変動表示の実行中に、前記変動対応表示の態様を変化させるときと、前記変動対応表示の態様を変化させないときとで共通で実行される共通演出と、当該共通演出を実行した後に前記変動対応表示の態様を変化させる成功演出または前記変動対応表示の態様を変化させない失敗演出とを実行可能な演出実行手段をさらに備え、
変動表示の実行中における複数タイミングのうち、いずれのタイミングで前記共通演出を実行するかに応じて、前記成功演出を実行する割合が異なる、請求項１に記載の遊技機。
【手続補正２】
【補正対象書類名】明細書
【補正対象項目名】０００７
【補正方法】変更
【補正の内容】
【０００７】
（１） 変動表示を行ない、遊技者にとって有利な有利状態（大当り遊技状態等）に制御可能な遊技機であって、未だ開始されていない変動表示に関する情報を、保留記憶として記憶する保留記憶手段（第１特図保留記憶部１５１Ａ、第２特図保留記憶部１５１Ｂ、第１始動入賞時受信コマンドバッファ１９４Ａ、第２始動入賞時受信コマンドバッファ１９４Ｂ等）と、前記保留記憶手段が記憶する保留記憶を保留表示（保留表示等）として表示可能な保留表示手段（画像表示装置５、ＲＡＭ１０２、第１始動入賞記憶表示エリア５ＨＬ、第２始動入賞記憶表示エリア５ＨＲ等）と、変動表示の実行中に、当該変動表示に対応する変動対応表示（アクティブ表示等）を行なうことが可能な変動対応表示手段（演出制御用ＣＰＵ１２０、図２５のＳ５３２等）と、対象となる保留記憶の変動表示が実行される以前に保留表示の態様を変化させる保留表示態様変化（図４３の保留シフト中変化）と、当該変動表示の実行中に変動対応表示の態様を変化させる変動対応表示態様変化（図４４のアクティブ表示中変化）との少なくともいずれかの表示態様変化をさせることが可能な表示態様変更手段（演出制御用ＣＰＵ１２０、図２５のＳ５３２、図４５のアイコン演出設定処理等）と、前記保留表示態様変化を示唆する第１変化演出（図２６（Ｂ），（Ｃ）、および、図４２に示すような、保留表示に矢印が作用する保留シフト中変化演出）と、前記変動対応表示態様変化を示唆する第２変化演出（図２６（Ｂ），（Ｃ）、および、図４２に示すような、アクティブ表示に矢印が作用するアクティブ表示中変化演出）との少なくともいずれかの変化演出を、対象となる保留記憶に対応する保留表示期間および変動表示期間の期間中における複数のタイミングのうちのいずれかのタイミングで実行させることが可能な変化演出実行手段（演出制御用ＣＰＵ１２０、図２５のＳ５３２等）とを備え、前記変化演出実行手段は、前記表示態様変更手段による変化対象の表示態様が、通常表示とは異なる第１特定表示（図４１（Ａ）の文字アイコン表示）と第２特定表示（図４１（Ｂ）のキャラクタアイコン表示）とのいずれであるかに応じて、前記変化演出を実行させるタイミングの選択割合が異なる（図２６の（Ｂ），（Ｃ）のように、文字アイコン表示は保留表示シフト時に変化演出実行割合が高く、キャラクタアイコン表示はアクティブ表示中に変化演出実行割合が高いので、文字アイコン表示とキャラクタアイコン表示とで、保留表示シフト時変化演出とアクティブ表示中変化演出とのいずれの変化演出を実行するかを選択する割合が異なる。）
このような構成によれば、保留表示態様変化を示唆する第１変化演出と、変動対応表示態様変化を示唆する第２変化演出とについて、変化対象の表示態様および表示態様変化のタイミングに遊技者を注目させることができ、保留表示の態様を変化させる演出について遊技の興趣を向上させることができる。
【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
変動表示を行ない、遊技者にとって有利な有利状態に制御可能な遊技機であって、
未だ開始されていない変動表示に関する情報を保留記憶として記憶する保留記憶手段と、
前記保留記憶手段が記憶する保留記憶を保留表示として表示可能な保留表示手段と、
変動表示の実行中に、当該変動表示に対応する変動対応表示を行なうことが可能な変動対応表示手段と、
対象となる保留記憶の変動表示が実行される以前に保留表示の態様を変化させる保留表示態様変化と、当該変動表示の実行中に変動対応表示の態様を変化させる変動対応表示態様変化との少なくともいずれかの表示態様変化を、対象となる保留記憶に対応する保留表示期間および変動表示期間の期間中における複数のタイミングのうちのいずれかのタイミングで実行させることが可能な表示態様変更手段とを備え、
前記表示態様変更手段は、変化対象の表示態様が、通常表示とは異なる第１特定表示と第２特定表示とのいずれであるかに応じて、前記表示態様変化を実行させるタイミングの選択割合が異なる、遊技機。
【請求項２】
変動表示の実行中に、前記変動対応表示の態様を変化させるときと、前記変動対応表示の態様を変化させないときとで共通で実行される共通演出と、当該共通演出を実行した後に前記変動対応表示の態様を変化させる成功演出または前記変動対応表示の態様を変化させない失敗演出とを実行可能な演出実行手段をさらに備え、
変動表示の実行中における複数タイミングのうち、いずれのタイミングで前記共通演出を実行するかに応じて、前記成功演出を実行する割合が異なる、請求項１に記載の遊技機。
【手続補正２】
【補正対象書類名】明細書
【補正対象項目名】０００７
【補正方法】変更
【補正の内容】
【０００７】
（１） 変動表示を行ない、遊技者にとって有利な有利状態（大当り遊技状態等）に制御可能な遊技機であって、
未だ開始されていない変動表示に関する情報を保留記憶として記憶する保留記憶手段（第１特図保留記憶部１５１Ａ、第２特図保留記憶部１５１Ｂ、第１始動入賞時受信コマンドバッファ１９４Ａ、第２始動入賞時受信コマンドバッファ１９４Ｂ等）と、
前記保留記憶手段が記憶する保留記憶を保留表示（保留表示等）として表示可能な保留表示手段（画像表示装置５、ＲＡＭ１０２、第１始動入賞記憶表示エリア５ＨＬ、第２始動入賞記憶表示エリア５ＨＲ等）と、
変動表示の実行中に、当該変動表示に対応する変動対応表示（アクティブ表示等）を行なうことが可能な変動対応表示手段（演出制御用ＣＰＵ１２０、図２５のＳ５３２等）と、
対象となる保留記憶の変動表示が実行される以前に保留表示の態様を変化させる保留表示態様変化（図４３の保留表示中変化）と、当該変動表示の実行中に変動対応表示の態様を変化させる変動対応表示態様変化（図４４のアクティブ表示中変化）との少なくともいずれかの表示態様変化を、対象となる保留記憶に対応する保留表示期間および変動表示期間の期間中における複数のタイミングのうちのいずれかのタイミングで実行させることが可能な表示態様変更手段（演出制御用ＣＰＵ１２０、図２５のＳ５３２、図４５のアイコン演出設定処理、図２２のＳ１７２等）とを備え、
前記表示態様変更手段は、変化対象の表示態様が、通常表示とは異なる第１特定表示（図４１（Ａ）の文字アイコン表示）と第２特定表示（図４１（Ｂ）のキャラクタアイコン表示）とのいずれであるかに応じて、前記表示態様変化を実行させるタイミングの選択割合が異なる（図２６（Ｂ），（Ｃ）のように、文字アイコン表示は保留表示中に変化演出実行割合が高く、キャラクタアイコン表示はアクティブ表示中に変化演出実行割合が高い。そして、図２６（Ｆ）〜（Ｍ）のように、変化演出実行時に実際に表示態様が変化する割合が、保留表示中と、アクティブ表示中とで等しい。したがって、文字アイコン表示と、キャラクタアイコン表示とのいずれであるかに応じて、保留表示中とアクティブ表示中とで、アイコンの表示態様が変化する頻度が異なり、保留表示中とアクティブ表示中とのいずれで表示態様を変化させるかを選択する割合が異なる。）
このような構成によれば、保留表示態様変化と変動対応表示態様変化とについて、変化対象の表示態様および表示態様変化のタイミングに遊技者を注目させることができ、保留表示の態様の変化について遊技の興趣を向上させることができる。
【手続補正書】
【提出日】平成30年5月15日(2018.5.15)
【手続補正１】
【補正対象書類名】明細書
【補正対象項目名】０００６
【補正方法】変更
【補正の内容】
【０００６】
実施形態の磁気共鳴イメージング装置は、傾斜磁場コイルと、導出部と、シーケンス制御部とを備える。傾斜磁場コイルは、被検体が置かれる静磁場内に傾斜磁場を印加する。導出部は、傾斜磁場コイルの温度の時間的な変化を示す温度変化モデルを用いて、一連のプロトコル群を含む１検査のタイムスケジュールを導出する。シーケンス制御部は、前記タイムスケジュールに従って、前記プロトコル群に含まれるプロトコルを順次実行する。
【手続補正２】
【補正対象書類名】特許請求の範囲
【補正対象項目名】全文
【補正方法】変更
【補正の内容】
【特許請求の範囲】
【請求項１】
被検体が置かれる静磁場内に傾斜磁場を印加する傾斜磁場コイルと、
前記傾斜磁場コイルの温度の時間的な変化を示す温度変化モデルを用いて、一連のプロトコル群を含む１検査のタイムスケジュールを導出する導出部と、
前記タイムスケジュールに従って、前記プロトコル群に含まれるプロトコルを順次実行するシーケンス制御部と、
を備える、磁気共鳴イメージング装置。
【請求項２】
前記導出部は、プロトコルに設定された撮像条件を当該プロトコルに対応する温度変化モデルに当てはめることにより、当該プロトコルと、当該プロトコルよりも１つ前に実行されるプロトコルとの間の待機時間を最適化する、請求項１に記載の磁気共鳴イメージング装置。
【請求項３】
待機時間及び画質のうち少なくとも一方に関する希望条件の入力を操作者から受け付ける受付部を更に備え、
前記導出部は、前記希望条件に応じて、前記タイムスケジュールを導出する、請求項１又は２に記載の磁気共鳴イメージング装置。
【請求項４】
前記受付部は、前記待機時間の上限値の入力を操作者から受け付け、
前記導出部は、前記待機時間を前記上限値以下に抑えるよう、前記プロトコル群に含まれるプロトコルの実行順序を更に最適化する、請求項３に記載の磁気共鳴イメージング装置。
【請求項５】
前記傾斜磁場コイルに設けられ、前記静磁場の空間的な不均一を補正する金属シムと、
前記プロトコルの実行が開始される前に前記金属シムの温度を上昇させるプレヒートの実行時間の上限値を受け付ける受付部と、
を更に備え、
前記導出部は、前記温度変化モデルに基づいて、前記受付部により受け付けられたプレヒートの実行時間の上限値以下の時間だけ前記プレヒートが行われるように前記タイムスケジュールを導出する、請求項１に記載の磁気共鳴イメージング装置。 
【請求項６】
前記導出部は、前記温度変化モデルに基づいて、前記プレヒートの実行時間の候補を予測し、予測した前記プレヒートの実行時間の候補が示す時間が前記受付部により受け付けられたプレヒートの実行時間の上限値以上である場合には、前記受付部により受け付けられたプレヒートの実行時間だけ前記プレヒートが行われるように前記タイムスケジュールを導出し、予測した前記プレヒートの実行時間の候補が示す時間が前記受付部により受け付けられたプレヒートの実行時間の上限値未満である場合には、予測した前記プレヒートの実行時間の候補が示す時間だけ前記プレヒートが行われるように前記タイムスケジュールを導出する、請求項５に記載の磁気共鳴イメージング装置。 
【請求項７】
前記導出部は、前記プロトコル群に含まれるプロトコルのそれぞれの前記温度変化モデルに基づいて、前記プロトコルの実行順序を決定し、決定した実行順序で前記プロトコルが実行されるように前記タイムスケジュールを導出する、請求項１に記載の磁気共鳴イメージング装置。
【請求項８】
前記傾斜磁場コイルに設けられ、前記静磁場の空間的な不均一を補正する金属シムを更に備え、
前記導出部は、前記プロトコル群に含まれるプロトコルのそれぞれの前記温度変化モデルに基づいて、前記プロトコルのそれぞれについて当該プロトコルが実行された場合の前記金属シムの温度を予測し、予測した前記温度が低いプロトコルから順に実行されるように前記タイムスケジュールを導出する、請求項７に記載の磁気共鳴イメージング装置。 
【請求項９】
前記傾斜磁場コイルに設けられ、前記静磁場の空間的な不均一を補正する金属シムを更に備え、
前記導出部は、前記プロトコル群に含まれるプロトコルのそれぞれの前記温度変化モデルに基づいて、前記プロトコルのそれぞれについて当該プロトコルが実行された場合の前記金属シムの温度を予測し、予測した前記温度が高いプロトコルから順に実行されるように前記タイムスケジュールを導出する、請求項７に記載の磁気共鳴イメージング装置。 
【請求項１０】
前記傾斜磁場コイルに設けられ、前記静磁場の空間的な不均一を補正する金属シムを更に備え、
前記導出部は、前記プロトコル群に含まれるプロトコルが実行された場合の実行開始時の前記金属シムの温度と実行完了時の前記金属シムの温度との差に基づいて、前記金属シムの温度を上昇させるプレヒートが行われるか否かを示す前記タイムスケジュールを導出する、請求項１に記載の磁気共鳴イメージング装置。
【請求項１１】
前記傾斜磁場コイルに設けられ、前記静磁場の空間的な不均一を補正する金属シムを更に備え、
現在の前記金属シムの温度と、前記温度変化モデルとに基づいて、前記プロトコルを実行させるタイミングを示す情報を表示部に表示させる表示制御部を備える、請求項１に記載の磁気共鳴イメージング装置。
【請求項１２】
前記プロトコルの実行が開始される前に前記傾斜磁場コイルの温度を低下させる制御の実行時間の上限値を受け付ける受付部を更に備え、
前記設定部は、前記温度変化モデルに基づいて、前記プロトコルを所定の実行時間だけ実行させた場合に、前記傾斜磁場コイルの温度が所定の許容温度を超えないときの待ち時間であって、前記受付部により受け付けられた前記実行時間の上限値以下の待ち時間だけ前記傾斜磁場コイルの温度を低下させる制御が行われるように前記タイムスケジュールを導出する、請求項１に記載の磁気共鳴イメージング装置。
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
ベッドのベッドボトムの複数の位置にそれぞれ設置され、その位置の荷重を荷重信号として検出する複数個のフォースセンサと、
前記複数個のフォースセンサの位置と前記荷重信号とに基づいて、前記ベッドボトムに作用している荷重の重心位置を演算する演算部と、
前記重心位置に基づいて、前記ベッド上の使用者の位置を検出する使用者検出部と、
前記複数個のフォースセンサにより検出された荷重信号を周波数分析して、前記使用者の生体情報を表す生体情報データを取得する生体情報データ取得部と、
を具備し、
前記ベッドボトムは第１部材、第２部材を含み、前記複数個のフォースセンスのうちいずれか１つが前記第１部材と前記第２部材との間に配置されることを特徴とする使用者位置検出装置。
【請求項２】
前記使用者検出部は、前記生体情報データが取得されたときに、前記重心位置に基づいて、前記ベッド上の前記使用者の位置を検出し、
前記フォースセンスの上部は前記ベッドボトムの表面から突出している
ことを特徴とする請求項１に記載の使用者位置検出装置。
【請求項３】
前記複数個のフォースセンサにより検出された前記荷重信号から、時間変化しない成分の信号を荷重データとして取得する荷重データ取得部、
を更に具備し、
前記生体情報データ取得部は、前記複数個のフォースセンサにより検出された前記荷重信号から、時間変化する成分の信号を前記生体情報データとして取得し、
前記演算部は、前記生体情報データが取得されたときに、前記複数個のフォースセンサの位置と前記荷重データとに基づいて、前記重心位置を演算することを特徴とする請求項１または２に記載の使用者位置検出装置。
【請求項４】
前記使用者検出部は、前記ベッド上で前記使用者が使用する使用可能領域のうちの、前記ベッドの端座を表す監視領域に前記重心位置が含まれる場合、前記ベッド上の前記使用者の位置として、前記使用者が端座位であることを検出することを特徴とする請求項１から３のいずれか一項に記載の使用者位置検出装置。
【請求項５】
前記使用者検出部の検出結果を出力先に出力する出力部、を更に具備することを特徴とする請求項１から４のいずれか一項に記載の使用者位置検出装置。
【請求項６】
第１部材と第２部材とを含むベッドのベッドボトムの複数の位置に、使用者の体形に合わせて設置された複数個のフォースセンサを用いて前記使用者の位置を検出する方法であって、
前記複数個のフォールセンサのうちいずれか１つが前記第１部材と前記第２部材との間に配置されており、
前記複数個のフォースセンサが、その位置の荷重を荷重信号として検出するステップと、
前記複数個のフォースセンサの位置と前記荷重信号とに基づいて、前記ベッドボトムに作用している荷重の重心位置を演算するステップと、
前記重心位置に基づいて、前記ベッド上の使用者の位置を検出するステップと、
前記複数個のフォースセンサにより検出された荷重信号を周波数分析して、前記使用者の生体情報を表す生体情報データを取得するステップと、
を含むことを特徴とする使用者位置検出方法。
【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
遊技球を下方に向けて案内する誘導樋の下端部に設けられ、通常は前記誘導樋を流下してくる遊技球を堰き止めて、予め定められた払出条件の成立に起因して所定個数の遊技球を通過させる払出装置を備えた遊技機において、
前記払出装置は、
前記払出装置を作動させる駆動源と、
前記駆動源を内部に収容する装置ケースと、を有し、
前記装置ケースには、前記駆動源との対向部分に通気孔が形成されている、ことを特徴とする遊技機。
【手続補正２】
【補正対象書類名】明細書
【補正対象項目名】０００６
【補正方法】変更
【補正の内容】
【０００６】
上記目的を達成するためになされた請求項１の発明は、遊技球を下方に向けて案内する誘導樋の下端部に設けられ、通常は前記誘導樋を流下してくる遊技球を堰き止めて、予め定められた払出条件の成立に起因して所定個数の遊技球を通過させる払出装置を備えた遊技機において、前記払出装置は、前記払出装置を作動させる駆動源と、前記駆動源を内部に収容する装置ケースと、を有し、前記装置ケースには、前記駆動源との対向部分に通気孔が形成されている、遊技機である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
［請求項１の発明］
請求項１の遊技機によれば、払出装置の過熱が抑えられ、安定して遊技球を払い出すことが可能になる。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００６２
【補正方法】変更
【補正の内容】
【００６２】
（４）内カバー５０Ｂに、膨出受容部５０Ｇではなく貫通孔が設けられ、ステッピングモータ５１がその貫通孔から突出する構成であってもよい。
以下に、本実施形態の遊技機１０から抽出される特徴について、必要に応じて効果等を示しつつ説明する。
［１］
遊技球を下方に向けて案内する誘導樋と、
前記誘導樋の下端部に設けられ、通常は前記誘導樋を流下してくる遊技球を堰き止めると共に、予め定められた所定の払出条件の成立に起因して所定個数の遊技球を通過させて遊技者に払い出す払出装置とを備えた遊技機において、
前記払出装置には、
電気的駆動源と、
前記誘導樋に形成された樋側部貫通孔を通して前記誘導樋内に突入し、前記誘導樋内の遊技球を堰き止めることが可能であると共に、前記電気的駆動源から動力を受けて作動し、その作動量に応じた数の遊技球の通過させる堰止部材と、
前記電気的駆動源と前記堰止部材とを内部に収容する装置ケースと、
前記電気的駆動源と前記装置ケースの内面との間に配置されると共に一部が前記装置ケース外に露出した金属部材とを備えた遊技機。
［１］の遊技機の払出装置には、電気的駆動源と装置ケースの内面との間に金属部材が配置され、その金属部材の一部が装置ケース外に露出しているので、金属部材を通して電気的駆動源の熱を装置ケース外に効率良く排出することができる。これにより、払出装置の過熱が抑えられ、安定して遊技球を払い出すことが可能になる。
［２］
前記金属部材は、前記電気的駆動源を側方から包囲して保持し、前記装置ケースに固定された金属製ホルダーである［１］に記載の遊技機。
［２］の遊技機では、金属部材が、放熱機能を有するだけでなく、電気的駆動源を側方から包囲して保持する金属製ホルダーにもなっているので、それらを別々に設けたものに比べてコンパクトな構成することができる。
［３］
前記金属製ホルダーがアース接続されている［２］に記載の遊技機。
［３］の遊技機では、金属製ホルダーがアース接続され、電気的駆動源をノイズから保護するシールドにも利用することができる。
［４］
前記装置ケースの一部を外側に膨出させてなり、前記電気的駆動源の一側部を受容した膨出受容部と、
前記膨出受容部に貫通形成された孔部とが備えられ、
前記金属部材の少なくとも一部が前記膨出受容部の内部に配置されて前記孔部を通して外部に露出している［１］乃至［３］の何れか１に記載の遊技機。
［４］の遊技機では、装置ケースの一部を外側に膨出させて電気的駆動源の一側部を受容する膨出受容部を設けたので、装置ケース全体を大きくせずに済む。また、膨出受容部に孔部を形成したことで、電気的駆動源の熱を効率よく装置ケース外に排出することができる。
【手続補正書】
【提出日】平成30年3月22日(2018.3.22)
【手続補正１】
【補正対象書類名】明細書
【補正対象項目名】００２２
【補正方法】変更
【補正の内容】
【００２２】
本発明は、上記課題に鑑みてなされたものであり、複数の試験信号を出力可能な遊技機を提供できるようにすることを目的とする。
【手続補正２】
【補正対象書類名】明細書
【補正対象項目名】００２３
【補正方法】変更
【補正の内容】
【００２３】
上記した目的を達成するために、本発明にかかる遊技機は、ステッピングモータの励磁相を定期的に変更することにより回転駆動されて複数種類の図柄を可変表示するリールを備え、遊技の試験を行うための試験信号を出力可能な遊技機において、前記リールの回転を開始するための操作レバーと、前記リールの回転を停止するためのストップスイッチと、遊技制御基板と、前記遊技制御基板から送信された情報に基づき遊技の進行に合わせた演出の制御を行う手段が搭載された演出制御基板とを備え、前記遊技制御基板に、遊技の進行を制御する遊技制御手段と、前記ストップスイッチの操作態様によって遊技者に付与する利益の異なる特定の役抽選結果を含む複数の役抽選結果のうちのいずれか１つを抽選により選択する役抽選手段と、前記役抽選手段が前記特定の役抽選結果を選択した場合に遊技者に有利な前記ストップスイッチの操作態様を報知する報知演出を行うか否かの決定を行う演出実行決定手段とが搭載され、前記試験信号は、前記ステッピングモータの励磁相を特定可能な第１の信号と、前記報知演出により報知される遊技者に有利な前記ストップスイッチの操作態様を特定可能な第２の信号と、前記第１の信号とも前記第２の信号とも異なる第３の信号と、を含む複数種類の信号により構成され、前記遊技制御手段は試験信号出力制御手段を備え、前記試験信号出力制御手段は、前記遊技制御手段の制御により、前記試験信号のうち、前記リールを回転させるために前記ステッピングモータの励磁相を変更することに応じて状態が変化する前記第１の信号を、前記遊技制御基板に設けられて専用的に使用される第１の出力経路を用いて出力できるように構成され、前記試験信号のうち前記第２の信号を、遊技の進行具合に応じて定まる第１のタイミングで前記遊技制御基板に設けられた第２の出力経路を用いて出力できるように構成され、前記試験信号のうち前記第３の信号を、前記第１のタイミングとは異なる遊技の進行具合に応じて定まる第２のタイミングで前記第２の出力経路を用いて出力できるように構成されていることを特徴としている。
【手続補正３】
【補正対象書類名】特許請求の範囲
【補正対象項目名】全文
【補正方法】変更
【補正の内容】
【特許請求の範囲】
【請求項１】
ステッピングモータの励磁相を定期的に変更することにより回転駆動されて複数種類の図柄を可変表示するリールを備え、遊技の試験を行うための試験信号を出力可能な遊技機において、
前記リールの回転を開始するための操作レバーと、
前記リールの回転を停止するためのストップスイッチと、
遊技制御基板と、
前記遊技制御基板から送信された情報に基づき遊技の進行に合わせた演出の制御を行う手段が搭載された演出制御基板とを備え、
前記遊技制御基板に、
遊技の進行を制御する遊技制御手段と、
前記ストップスイッチの操作態様によって遊技者に付与する利益の異なる特定の役抽選結果を含む複数の役抽選結果のうちのいずれか１つを抽選により選択する役抽選手段と、
前記役抽選手段が前記特定の役抽選結果を選択した場合に遊技者に有利な前記ストップスイッチの操作態様を報知する報知演出を行うか否かの決定を行う演出実行決定手段とが搭載され、
前記試験信号は、前記ステッピングモータの励磁相を特定可能な第１の信号と、前記報知演出により報知される遊技者に有利な前記ストップスイッチの操作態様を特定可能な第２の信号と、前記第１の信号とも前記第２の信号とも異なる第３の信号と、を含む複数種類の信号により構成され、
前記遊技制御手段は試験信号出力制御手段を備え、
前記試験信号出力制御手段は、前記遊技制御手段の制御により、
前記試験信号のうち、前記リールを回転させるために前記ステッピングモータの励磁相を変更することに応じて状態が変化する前記第１の信号を、前記遊技制御基板に設けられて専用的に使用される第１の出力経路を用いて出力できるように構成され、
前記試験信号のうち前記第２の信号を、遊技の進行具合に応じて定まる第１のタイミングで前記遊技制御基板に設けられた第２の出力経路を用いて出力できるように構成され、
前記試験信号のうち前記第３の信号を、前記第１のタイミングとは異なる遊技の進行具合に応じて定まる第２のタイミングで前記第２の出力経路を用いて出力できるように構成されている
ことを特徴とする遊技機。